(57)【要約】【課題】コンテンツの視聴を促すとともに、ユーザ操作に対応したサービスを提供することが可能な情報処理装置、情報処理方法及びプログラムを提供する。【解決手段】コンテンツの表示を行う情報処理装置であって、ユーザから要求されたジョブのジョブ種別を検出する検出部と、前記ジョブ種別毎に表示用データを対応付けた対応情報から、前記ジョブ種別に対応する表示用データを選択する選択部と、前記コンテンツと前記選択部が選択した表示用データとを表示する表示部と、前記表示部に表示された前記表示用データに対する操作を受け付ける受付部と、を備える。【選択図】図５
2015176507.tif 000002
【特許請求の範囲】
【請求項１】
コンテンツの表示を行う情報処理装置であって、
ユーザから要求されたジョブのジョブ種別を検出する検出部と、
前記ジョブ種別毎に表示用データを対応付けた対応情報から、前記ジョブ種別に対応する表示用データを選択する選択部と、
前記コンテンツと前記選択部が選択した表示用データとを表示する表示部と、
前記表示部に表示された前記表示用データに対する操作を受け付ける受付部と、
を備える情報処理装置。
【請求項２】
前記対応情報は、前記ジョブ種別毎に、当該ジョブ種別のジョブに追加することが可能な追加動作の実行を促す表示用データを対応付けて記憶し、
前記受付部は、前記表示用データに対する操作により、前記追加動作の実行指示を受け付ける請求項１に記載の情報処理装置。
【請求項３】
前記選択部は、前記表示用データの各々に付与された第１レベルと、前記コンテンツに含まれた第２レベルとに基づいて、表示の対象となる表示用データを選択する請求項１又は２に記載の情報処理装置。
【請求項４】
前記表示部は、前記コンテンツに含まれた前記表示用データの表示タイミングを指示する情報に基づいて、前記選択部が選択した表示用データの表示タイミングを制御する請求項１〜３の何れか一項に記載の情報処理装置。
【請求項５】
前記表示部が前記コンテンツを表示した場合に、当該コンテンツを表示したことを外部装置に通知する通知部を更に備える請求項１〜４の何れか一項に記載の情報処理装置。
【請求項６】
前記受付部が前記表示用データに対する操作を受け付けた場合に、当該表示用データに対応する前記追加動作の実行が指示されたことを外部装置に通知する通知部を更に備える請求項２に記載の情報処理装置。
【請求項７】
コンテンツの表示を行う情報処理装置で実行される情報処理方法であって、
ユーザから要求されたジョブのジョブ種別を検出する検出ステップと、
前記ジョブ種別毎に表示用データを対応付けた対応情報から、前記ジョブ種別に対応する表示用データを選択する選択ステップと、
前記コンテンツと前記選択ステップで選択された表示用データとを表示する表示ステップと、
前記表示ステップで表示された前記表示用データに対する操作を受け付ける受付ステップと、
を含む情報処理方法。
【請求項８】
コンテンツの表示を行う情報処理装置のコンピュータに、
ユーザから要求されたジョブのジョブ種別を検出する検出ステップと、
前記ジョブ種別毎に表示用データを対応付けた対応情報から、前記ジョブ種別に対応する表示用データを選択する選択ステップと、
前記コンテンツと前記選択ステップで選択された表示用データとを表示する表示ステップと、
前記表示ステップで表示された前記表示用データに対する操作を受け付ける受付ステップと、
を実行させるためのプログラム。
【発明の詳細な説明】
【技術分野】
【０００１】
本発明は、情報処理装置、情報処理方法及びプログラムに関する。
【背景技術】
【０００２】
従来、配信サーバから配信されるコンテンツを取得し、当該コンテンツを表示することで広告等を行う技術が開示されている。例えば、特許文献１には、店舗に配置されたゲーム機において、プレイ前にゲーム機の表示部に広告映像（コンテンツ）を表示し、この映像内で指示された操作が行われた場合にプレイ料金を減額することで、コンテンツの視聴を促す技術が開示されている。
【発明の概要】
【発明が解決しようとする課題】
【０００３】
しかしながら、上記した従来の技術では、コンテンツを視聴することでユーザが得られるサービスはプレイ料金の減額のみであり、ユーザ操作に対応したサービスを提供することができないという問題があった。
【０００４】
本発明は、上記に鑑みてなされたものであって、コンテンツの視聴を促すとともに、ユーザ操作に対応したサービスを提供することが可能な情報処理装置、情報処理方法及びプログラムを提供することを目的とする。
【課題を解決するための手段】
【０００５】
上述した課題を解決し、目的を達成するために、本発明は、コンテンツの表示を行う情報処理装置であって、ユーザから要求されたジョブのジョブ種別を検出する検出部と、前記ジョブ種別毎に表示用データを対応付けた対応情報から、前記ジョブ種別に対応する表示用データを選択する選択部と、前記コンテンツと前記選択部が選択した表示用データとを表示する表示部と、前記表示部に表示された前記表示用データに対する操作を受け付ける受付部と、を備える。
【発明の効果】
【０００６】
本発明によれば、ユーザに対してコンテンツの視聴を促すとともに、ユーザ操作に対応したサービスを提供することができる。
【図面の簡単な説明】
【０００７】
【図１】図１は、ＭＦＰのハードウェア構成例を示す図である。
【図２】図２は、対応情報のデータ構成の一例を示す図である。
【図３】図３は、ＭＦＰのソフトウェア構成の一例を示す模式図である。
【図４】図４は、操作部側のアプリを模式的に示す図である。
【図５】図５は、操作部の機能構成例を示す図である。
【図６】図６は、取得部が取得したコンテンツの構成例を示す模式図である。
【図７】図７は、操作部（操作パネル）の表示画面の一例を示す図である。
【図８】図８は、操作部（操作パネル）の表示画面の一例を示す図である。
【図９】図９は、視聴管理ＤＢのデータ構成の一例を示す図である。
【図１０】図１０は、ＭＦＰの操作部が実行する初期化処理の一例を示すフローチャートである。
【図１１】図１１は、ＭＦＰの操作部が実行するコンテンツ表示処理の一例を示すフローチャートである。
【図１２】図１２は、ＭＦＰの操作部が実行する視聴通知処理の一例を示すフローチャートである。
【図１３】図１３は、操作部（操作パネル）の表示画面の一例を示す図である。
【発明を実施するための形態】
【０００８】
以下、添付図面を参照しながら、本発明に係る情報処理装置、情報処理方法及びプログラムの実施形態を詳細に説明する。以下では、本発明に係る情報処理装置を、複合機（ＭＦＰ：Multifunction  Peripheral）に適用した場合を例に挙げて説明するが、これに限定されるものではない。なお、複合機とは、印刷機能、複写機能、スキャナ機能、及びファクシミリ機能のうち少なくとも２つの機能を有する装置である。
【０００９】
図１は、本実施形態のＭＦＰ１のハードウェア構成例を示すブロック図である。図１に示すように、ＭＦＰ１は、インターネット等のネットワークＮを経由してコンテンツ配信サーバ３０と接続される。コンテンツ配信サーバ３０は、コンテンツの管理と配信を行う装置である。ここで、コンテンツは、例えば広告や機器に関する情報等のユーザに報知する情報を意味する。なお、コンテンツの種類や数は任意である。なお、ネットワークＮに接続するＭＦＰ１の個数は特に問わず、複数台であってもよい。
【００１０】
図１に示すように、ＭＦＰ１は、コピー機能、スキャナ機能、ファクス機能、プリンタ機能等の各種の機能を実現可能な本体１０と、ユーザの操作に応じた入力を受け付ける操作部２０と、を備える。本体１０と操作部２０は、専用の通信路３００を介して相互に通信可能に接続されている。通信路３００は、例えばＵＳＢ（Universal  Serial  Bus）規格のものを用いることもできるが、有線か無線かを問わず任意の規格のものであってよい。
【００１１】
なお、本体１０は、操作部２０で受け付けた入力に応じて動作することができる。また、本体１０は、クライアントＰＣ（パーソナルコンピュータ）等の外部装置とも通信可能であり、外部装置から受信した指示に応じて動作することもできる。
【００１２】
次に、本体１０のハードウェア構成について説明する。図１に示すように、本体１０は、ＣＰＵ１１と、ＲＯＭ１２と、ＲＡＭ１３と、ＨＤＤ（ハードディスクドライブ）１４と、通信Ｉ／Ｆ（インタフェース）１５と、接続Ｉ／Ｆ１６と、エンジン部１７とを備え、これらがバス１８を介して相互に接続されている。
【００１３】
ＣＰＵ１１は、本体１０の動作を統括的に制御する。ＣＰＵ１１は、ＲＡＭ１３をワークエリア（作業領域）としてＲＯＭ１２またはＨＤＤ１４等に格納されたプログラムを実行することで、本体１０全体の動作を制御し、上述したコピー機能、スキャナ機能、ファクス機能、プリンタ機能等の各種機能を実現する。
【００１４】
通信Ｉ／Ｆ１５は、クライアントＰＣ（パーソナルコンピュータ）等の外部装置と通信するためのインタフェースである。接続Ｉ／Ｆ１６は、通信路３００を介して操作部２０と通信するためのインタフェースである。
【００１５】
エンジン部１７は、コピー機能、スキャナ機能、ファクス機能、及び、プリンタ機能を実現させるための、汎用的な情報処理及び通信以外の処理を行うハードウェアである。例えば、原稿の画像をスキャンして読み取るスキャナ（画像読取部）、用紙等のシート材への印刷を行うプロッタ（画像形成部）、ファクス通信を行うファクス部等を備えている。更に、印刷済みシート材を仕分けるフィニッシャや、原稿を自動給送するＡＤＦ（自動原稿給送装置）のような特定のオプションを備えることもできる。
【００１６】
次に、操作部２０のハードウェア構成について説明する。図１に示すように、操作部２０は、ＣＰＵ２１と、ＲＯＭ２２と、ＲＡＭ２３と、フラッシュメモリ２４と、通信Ｉ／Ｆ２５と、接続Ｉ／Ｆ２６と、操作パネル２７とを備え、これらがバス２８を介して相互に接続されている。
【００１７】
ＣＰＵ２１は、操作部２０の動作を統括的に制御する。ＣＰＵ２１は、ＲＡＭ２３をワークエリア（作業領域）としてＲＯＭ２２またはフラッシュメモリ２４等に格納されたプログラムを実行することで、操作部２０全体の動作を制御する。
【００１８】
また、フラッシュメモリ２４は、操作部２０の動作に係る各種の設定情報を記憶する。例えば、フラッシュメモリ２４は、コンテンツの表示に係る設定情報として、ジョブ種別毎に表示用データを対応付けた対応情報２４１を記憶する。
【００１９】
図２は、対応情報２４１のデータ構成の一例を示す図である。図２に示すように、対応情報２４１は、動作ＩＤと、アプリ種別と、第１レベルと、追加動作と、動作内容と、表示用データとを関連付け、一のエントリ（以下、単に追加動作とも言う）として記憶する。
【００２０】
動作ＩＤは、ユニークに割り振られた管理番号等の識別子である。アプリ種別は、本体１０が備える機能の種別を意味する。具体的には、スキャナ機能を示す「スキャナ」、コピー機能を示す「コピー」等が、アプリ種別として登録される。
【００２１】
第１レベルは、後述する追加動作の程度を示す数値であって、追加動作を付与する際の指標となる。第１レベルを設定する際の基準は特に問わず、例えば、より高機能な追加動作や、より高負荷の追加動作ほど第１レベルを高く設定してもよい。また、追加動作の実行により提供されるサービスの程度に応じて第１レベルを設定してもよい。なお、本実施形態では、０から昇順にその程度が上昇するものとする。
【００２２】
追加動作は、ＭＦＰ１のユーザに提供するサービスに対応するものであり、アプリ種別の機能（ジョブ）に対し、付加的に追加する機能や動作等を意味する。動作内容には、対応する追加動作の説明文が格納される。例えば、アプリ種別「スキャナ」の第１レベル「０」には、追加動作として、原稿の白黒／カラーを自動的に判別する機能である「自動カラー設定」が登録される。
【００２３】
表示用データには、後述するコンテンツを表示する際に、当該コンテンツとともに表示される文字列が格納される。なお、表示用データに格納する情報は、テキストデータ（文字列）に限らず、画像や動画、ユーザインタフェース（操作子等）であってもよい。
【００２４】
また、フラッシュメモリ２４は、コンテンツの表示に係る設定情報として、自装置の起動時等に参照される初期設定情報２４２を記憶する。初期設定情報２４２には、例えば、後述するコンテンツの表示を行うか否か、追加動作を付与するか否か等を指示する情報が格納される。また、追加動作を付与する場合には、付与する追加動作を自動で選択するか、手動で選択させるか等を指示する情報が設定される。なお、初期設定情報２４２の設定内容は、任意に変更することが可能であるとする。
【００２５】
図１に戻り、通信Ｉ／Ｆ２５は、ネットワークＮを介してコンテンツ配信サーバ３０と通信するためのインタフェースである。接続Ｉ／Ｆ２６は、通信路３００を介して本体１０と通信するためのインタフェースである。
【００２６】
操作パネル２７は、ユーザの操作に応じた各種の入力を受け付けるとともに、各種の情報（例えば受け付けた入力に応じた情報、ＭＦＰ１の動作状況を示す情報、設定状態等を示す情報等）を表示する。この例では、操作パネル２７は、タッチパネル機能を搭載した液晶表示装置（ＬＣＤ）で構成されるが、これに限られるものではない。例えばタッチパネル機能が搭載された有機ＥＬ表示装置で構成されてもよい。さらに、これに加えて又はこれに代えて、ハードウェアキー等の操作部やランプ等の表示部を設けることもできる。
【００２７】
次に、ＭＦＰ１のソフトウェア構成について説明する。図３は、ＭＦＰ１のソフトウェア構成の一例を示す模式図である。図３に示すように、本体１０は、アプリ層１０１と、サービス層１０２と、ＯＳ層１０３とを有する。アプリ層１０１、サービス層１０２、及び、ＯＳ層１０３の実体は、ＲＯＭ１２やＨＤＤ１４等に格納されている各種ソフトウェアである。ＣＰＵ１１が、これらのソフトウェアを実行することにより、各種の機能が提供される。
【００２８】
アプリ層１０１のソフトウェアは、ハードウェア資源を動作させて所定の機能を提供するためのアプリケーションソフトウェア（以下の説明では、単に「アプリ」と称する場合がある）である。例えばアプリとしては、コピー機能を提供するためのコピーアプリ、スキャナ機能を提供するためのスキャナアプリ、ファクス機能を提供するためのファクスアプリ、プリンタ機能を提供するためのプリンタアプリ等が挙げられる。
【００２９】
サービス層１０２のソフトウェアは、アプリ層１０１とＯＳ層１０３との間に介在し、アプリに対し、本体１０が備えるハードウェア資源を利用するためのインタフェースを提供するためのソフトウェアである。より具体的には、ハードウェア資源に対する動作要求の受付、動作要求の調停を行う機能を提供するためのソフトウェアである。サービス層１０２が受け付ける動作要求としては、スキャナによる読み取りやプロッタによる印刷等の要求が考えられる。
【００３０】
なお、サービス層１０２によるインタフェースの機能は、本体１０のアプリ層１０１だけではなく、操作部２０のアプリ層２０１に対しても提供される。すなわち、操作部２０のアプリ層２０１（アプリ）も、サービス層１０２のインタフェース機能を介して、本体１０のハードウェア資源（例えばエンジン部１７）を利用した機能を実現することができる。
【００３１】
ＯＳ層１０３のソフトウェアは、本体１０が備えるハードウェアを制御する基本機能を提供するための基本ソフトウェア（オペレーティングシステム）である。サービス層１０２のソフトウェアは、各種アプリからのハードウェア資源の利用要求を、ＯＳ層１０３が解釈可能なコマンドに変換してＯＳ層１０３に渡す。そして、ＯＳ層１０３のソフトウェアによりコマンドが実行されることで、ハードウェア資源は、アプリの要求に従った動作を行う。
【００３２】
同様に、操作部２０は、アプリ層２０１と、サービス層２０２と、ＯＳ層２０３とを有する。操作部２０が備えるアプリ層２０１、サービス層２０２及びＯＳ層２０３も、階層構造については本体１０側と同様である。ただし、アプリ層２０１のアプリにより提供される機能や、サービス層２０２が受け付け可能な動作要求の種類は、本体１０側とは異なる。アプリ層２０１のアプリは、操作部２０が備えるハードウェア資源を動作させて所定の機能を提供するためのソフトウェアである。具体的に、アプリ層２０１のアプリは、主として本体１０が備える機能（スキャナ機能、コピー機能等）に関する操作や表示を行うためのＵＩ（ユーザインタフェース）の機能を提供するためのソフトウェアである。
【００３３】
図４に示すように、操作部２０側のアプリ層２０１のアプリとしては、スキャナＵＩアプリ、コピーＵＩアプリ、サイネージクライアントアプリ等が挙げられる。スキャナＵＩアプリは、スキャナ機能に関する操作や表示を行うためのＵＩの機能を提供する。コピーＵＩアプリは、コピー機能に関する操作や表示を行うためのＵＩの機能を提供する。
【００３４】
サイネージクライアントアプリは、コンテンツの表示を行うための機能を提供する。詳しくは後述するが、サイネージクライアントアプリは、操作パネル２７を介した指示入力や、本体１０の各層と協働することで得られる本体１０の動作状態を示す情報等に基づき、本体１０で実行中のジョブ種別を検出（判別）する。また、サイネージクライアントアプリは、コンテンツ配信サーバ３０からコンテンツ情報を取得（ダウンロード）し、本体１０で実行中のジョブ種別に応じたコンテンツを、当該ジョブ種別に応じて定まる追加動作の表示用データとともに表示する。そして、サイネージクライアントアプリは、その表示用データに対応するコンテンツを表示したことを、コンテンツ配信サーバ３０に通知する。また、サイネージクライアントアプリは、表示された表示用データを介して追加動作の実行指示を受け付けると、その追加動作の実行指示を受け付けたことをコンテンツ配信サーバ３０に通知する。
【００３５】
図３に戻って説明を続ける。本実施形態では、機能の独立性を保つために、本体１０側のＯＳ層１０３のソフトウェアと、操作部２０側のＯＳ層２０３のソフトウェアとが互いに異なる。つまり、本体１０と操作部２０は、別々のオペレーティングシステムで互いに独立して動作する。例えば、本体１０側のＯＳ層１０３のソフトウェアとしてＬｉｎｕｘ（登録商標）を用い、操作部２０側のＯＳ層２０３のソフトウェアとしてＡｎｄｒｏｉｄ（登録商標）を用いることも可能である。
【００３６】
以上のように、本実施形態のＭＦＰ１において、本体１０と操作部２０は別々のオペレーティングシステムで動作するため、本体１０と操作部２０との間の通信は、共通の装置内のプロセス間通信ではなく、異なる装置間の通信として行われる。操作部２０が受け付けた入力（ユーザからの指示内容）を本体１０へ伝達する動作（コマンド通信）や、本体１０が操作部２０へイベントを通知する動作等がこれに該当する。ここでは、操作部２０が本体１０へコマンド通信を行うことにより、本体１０の機能を使用することができる。また、本体１０から操作部２０に通知するイベントには、本体１０における動作の実行状況、本体１０側で設定された内容等が挙げられる。
【００３７】
また、本実施形態では、操作部２０に対する電力供給は、本体１０から通信路３００を経由して行われているので、操作部２０の電源制御を、本体１０の電源制御とは別に（独立して）行うことができる。
【００３８】
次に、前述のサイネージクライアントアプリにより提供される機能について説明する。図５は、操作部２０の機能構成例を示す図である。説明の便宜上、図５では、サイネージクライアントアプリに係る機能を主に例示しているが、操作部２０が有する機能は、これらに限られるものではない。
【００３９】
図５に示すように、操作部２０は、初期設定部２１１と、取得部２１２と、検出部２１３と、本実施形態の選択部である第１選択部２１４及び第２選択部２１５と、表示部２１６と、受付部２１７と、通知部２１８と、実行指示部２１９とを有する。これら操作部２０の各機能部は、ＣＰＵ２１が、ＲＡＭ２３をワークエリア（作業領域）としてＲＯＭ２２またはフラッシュメモリ２４等に格納されたプログラム（サイネージクライアントアプリ等）を実行することにより実現される。また、本実施形態では、操作部２０が、請求項に係る「情報処理装置」に対応する。
【００４０】
初期設定部２１１は、ＭＦＰ１の起動時等において、フラッシュメモリ２４等に保持された初期設定情報２４２を参照し、初期設定情報２４２の指示内容をＲＡＭ２３等に展開することで自装置に設定する。例えば、初期設定部２１１は、コンテンツの表示を行うか否か、追加動作を付与するか否か等の設定値を設定する。また、初期設定部２１１は、追加動作を付与する設定の場合、追加動作を自動で選択するか、手動で選択させるか等を設定する。
【００４１】
取得部２１２は、コンテンツ配信サーバ３０から配信されるコンテンツを取得する。取得部２１２により取得されたコンテンツは、その取得元（配信元）であるコンテンツ配信サーバ３０のアドレスと対応付けて、操作部２０が有する記憶媒体（例えばフラッシュメモリ２４等）に蓄積される。ここで、コンテンツ配信サーバ３０のアドレスは、例えば、ＩＰアドレスやＵＲＩ（Uniform  Resource  Identifier）、電子メールアドレス等の宛先情報である。
【００４２】
図６は、取得部２１２が取得したコンテンツの構成例を示す模式図である。図６に示すように、コンテンツは、コンテンツＩＤと、コンテンツデータとを有する。また、コンテンツは、コンテンツデータに付随する情報として、ジョブ種別と、第２レベルと、表示時間とを有する。
【００４３】
コンテンツＩＤは、他のコンテンツと識別するために割り振られた識別情報である。コンテンツデータは、表示（再生）の対象となる静止画や動画等である。
【００４４】
ジョブ種別は、コンテンツデータを表示する際のトリガとなる本体１０の動作（アプリ）の種別を意味する。具体的には、上述したコピーアプリ、スキャナアプリ、ファクスアプリ、プリンタアプリ等の種別が挙げられる。なお、このジョブ種別は、図２で説明した「アプリ種別」に対応する。
【００４５】
第２レベルは、実行可能な追加動作を指定又は制限するための情報である。具体的に、第２レベルには、実行が許可された追加動作の第１レベルに対応する数値が入力される。例えば、第２レベルに「３」が設定されている場合には、第１レベル「３」の追加動作（或いは第１レベル「３」以下の追加動作）の実行が許可されることを意味する。また、表示時間は、このコンテンツとともに表示される追加動作（表示用データ）の表示を開始するタイミング等を指示する情報である。
【００４６】
なお、第２レベルや表示時間は、予め設定されている構成としてもよいし、コンテンツ配信サーバ３０から取得後に操作パネル２７等を介して手動で設定する構成としてもよい。例えば、コンテンツ配信サーバ３０から取得したコンテンツの第２レベルや表示時間が空欄の場合には、操作パネル２７等を介して任意の値を設定することが可能である。
【００４７】
図５に戻って説明を続ける。初期設定部２１１は、ユーザの入力に応じて、初期設定情報２４２を可変に設定する。例えば、初期設定部２１１は、ユーザの入力に応じて、コンテンツの表示を行うか否か、追加動作を付与するか否か等の設定値を可変に設定する。また、初期設定部２１１は、追加動作を付与する設定の場合、ユーザの入力に応じて、付与する追加動作を自動で選択するか、手動で選択させるか等の設定値を可変に設定する。なお、ユーザが初期設定情報２４２の設定を行うタイミングは特に問わないものとする。例えば、ＭＦＰ１の起動直後に行ってもよいし、何れのアプリも選択されていない状態のときに行ってもよい。
【００４８】
検出部２１３は、本体１０で実行されるジョブ種別を検出する。具体的に、検出部２１３は、操作パネル２７を介したユーザ入力に基づき、実行が指示された動作の種別をジョブ種別として検出する。また、検出部２１３は、本体１０と協働することで、通信Ｉ／Ｆ１５を介して指示された動作の種別をジョブ種別として検出する。
【００４９】
第１選択部２１４は、検出部２１３が検出したジョブ種別に対応するコンテンツを選択する。例えば検出部２１３がジョブ種別として「スキャナ」を検出した場合には、第１選択部２１４は、フラッシュメモリ２４等に記憶されたコンテンツの中から、ジョブ種別として「スキャナ」を含むコンテンツを読み出して選択する。なお、初期設定情報２４２に、コンテンツの非表示が指示されている場合には、第１選択部２１４によるコンテンツの選択（表示対象のコンテンツの選択）は行われない。
【００５０】
第２選択部２１５は、検出部２１３が検出したジョブ種別と、第１選択部２１４が選択したコンテンツに含まれる第２レベルとに基づき、付与することが可能な追加動作を対応情報２４１から選択する。例えば、検出部２１３が検出したジョブ種別が「スキャナ」、第１選択部２１４が選択したコンテンツの第２レベルが「２」の場合を想定する。この場合、第２選択部２１５は、対応情報２４１に登録されたエントリの中から、アプリ種別が「スキャナ」で且つ第１レベルが「２」（或いは「２」以下）のエントリを読み出して選択する。なお、初期設定情報２４２に、追加動作（表示用データ）の非表示が指示されている場合には、第２選択部２１５による追加動作の選択（表示対象の表示用データの選択）は行われない。
【００５１】
表示部２１６は、第１選択部２１４により選択されたコンテンツを、第２選択部２１５により選択された追加動作とともに表示する。より具体的には、表示部２１６は、第１選択部２１４により選択されたコンテンツと、第２選択部２１５により選択されたエントリに含まれる表示用データとを操作パネル２７に表示する制御を行う。
【００５２】
ここで、例えば図７（ａ）に示すように、ユーザが、操作部２０（操作パネル２７）に表示されたスキャナ機能の実行を指示するスキャナボタンに対してタッチ操作を行った場合を想定する。このとき、検出部２１３は、ジョブ種別として「スキャナ」を検出するので、第１選択部２１４は、複数のコンテンツの中から、ジョブ種別「スキャナ」を含むコンテンツを読み出して選択する。また、第２選択部２１５は、検出部２１３が検出したジョブ種別「スキャナ」と、第１選択部２１４が選択したコンテンツに含まれる第２レベル（例えば「３」）とに基づき、対応情報２４１から動作ＩＤ「５」のエントリを選択する（図２参照）。
【００５３】
そして、表示部２１６は、ＭＦＰ１の本体１０がスキャナ処理を行っている間（処理中）に、コンテンツと追加動作の表示用データとを表示する。具体的には、図７（ｂ）に示すように、第１選択部２１４が選択したコンテンツを第１領域Ａ１１に表示し、第２選択部２１５が選択した追加動作の表示用データを第２領域Ａ１２に表示する。図７（ｂ）では、スキャナ処理に対する追加動作として、ＯＣＲ処理を提示した例を示している。また、第２領域Ａ１２には、ＯＣＲ処理の実行を指示する操作子として操作ボタンＢ１１が設けられる。なお、表示用データの表示タイミングは、コンテンツに含まれた表示時間に基づいて制御されるものとする。
【００５４】
また、例えば図８（ａ）に示すように、ユーザが、操作部２０（操作パネル２７）に表示されたコピー機能の実行を指示するコピーボタンに対してタッチ操作を行った場合を想定する。このとき、検出部２１３は、ジョブ種別として「コピー」を検出するので、第１選択部２１４は、複数のコンテンツの中から、ジョブ種別「コピー」を含むコンテンツを読み出して選択する。また、第２選択部２１５は、検出部２１３が検出したジョブ種別「コピー」と、第１選択部２１４が選択したコンテンツに含まれる第２レベル（例えば「３」）とに基づき、対応情報２４１から動作ＩＤ「１４」のエントリを選択する（図２参照）。
【００５５】
そして、表示部２１６は、ＭＦＰ１の本体１０がコピー処理を行っている間（処理中）、或いは実行前や実行後に、コンテンツと追加動作の表示用データとを表示する。具体的には、図８（ｂ）に示すように、第１選択部２１４が選択したコンテンツを第１領域Ａ１１に表示し、第２選択部２１５が選択した追加動作の表示用データを第２領域Ａ１２に表示する。なお、図８（ｂ）では、コピー処理に対する追加動作として、スキャン処理を提示した例を示している。なお、第２領域Ａ１２には、図７（ｂ）と同様に、スキャン処理の実行を指示する操作子として操作ボタンＢ１１が設けられる。
【００５６】
このように、表示部２１６は、操作パネル２７において、第１選択部２１４により選択されたコンテンツを、第２選択部２１５により選択された追加動作の実行を促す情報（表示用データ、操作子）とともに表示する。
【００５７】
なお、第２選択部２１５が選択した追加動作が複数存在し、且つ初期設定情報２４２に、追加動作の手動選択が指示されている場合には、表示部２１６は、追加動作を選択させるための選択画面（図示せず）を操作パネル２７に表示する。これにより、表示部２１６は、一の追加動作をユーザに選択させる。また、第２選択部２１５が選択した追加動作が複数存在し、且つ初期設定情報２４２に、追加動作の自動選択が指示されている場合には、表示部２１６は、複数の追加動作から一の追加動作を選択し、その表示用データを第２選択部２１５に表示する。
【００５８】
図５に戻り、受付部２１７は、操作パネル２７を介した操作により、追加動作の実行指示を受け付ける。より具体的には、受付部２１７は、操作パネル２７の第２領域Ａ１２（図７（ｂ）、図８（ｂ）参照）に表示された操作ボタンＢ１１に対する操作を、第２領域Ａ１２の表示用データに対応する追加動作の実行指示として受け付ける。
【００５９】
通知部２１８は、表示部２１６がコンテンツの表示を行うと、当該コンテンツを表示したことをコンテンツ配信サーバ３０に通知する。より具体的には、通知部２１８は、表示部２１６がコンテンツの表示を行うと、このコンテンツのコンテンツＩＤと、自装置を識別するＭＦＰＩＤとを視聴情報として、コンテンツ配信サーバ３０に送信する。
【００６０】
また、通知部２１８は、受付部２１７が追加動作の実行指示を受け付けると、当該追加動作の実行指示を受け付けたことをコンテンツ配信サーバ３０に通知する。より具体的には、通知部２１８は、受付部２１７が追加動作の実行指示を受け付けると、この追加動作とともに表示されているコンテンツのコンテンツＩＤと、自装置を識別するＭＦＰＩＤとを利用情報として、コンテンツ配信サーバ３０に送信する。なお、実行指示を受け付けた追加動作の動作ＩＤを、利用情報に含めて送信する形態としてもよい。
【００６１】
実行指示部２１９は、受付部２１７が受け付けた追加動作の実行を本体１０に指示することで、当該追加動作を本体１０に実行させる。例えば、スキャン処理の実行時に、受付部２１７が追加動作としてＯＣＲ処理の実行指示を受け付けた場合には、実行指示部２１９は、ＯＣＲ処理の実行を本体１０に指示することで、スキャンにより生成される原稿データに対しＯＣＲ処理を行わせる。また、コピー処理の実行時に、追加動作としてスキャナ処理の実行指示を受け付けた場合には、実行指示部２１９は、スキャナ処理の実行を本体１０に指示することで、コピーした原稿の原稿データを外部装置に出力させる。なお、原稿データの出力先となる外部装置は、予め定められている構成としてもよいし、その都度指定可能な構成としてもよい。
【００６２】
図１に戻り、コンテンツ配信サーバ３０について説明する。コンテンツ配信サーバ３０は、ＷｅｂサーバやＦＴＰサーバ等のサーバ装置であり、ＣＰＵ、ＲＯＭ、ＲＡＭ、通信Ｉ／Ｆ、記憶装置等のコンピュータ構成を備える（何れも図示せず）。また、コンテンツ配信サーバ３０は、図示しない記憶装置に、コンテンツ管理ＤＢ（データベース）３１と、視聴管理ＤＢ３２とを保持する。
【００６３】
ここで、コンテンツ管理ＤＢ３１は、コンテンツの管理と記憶を行う。具体的に、コンテンツ管理ＤＢ３１は、図６で説明したデータ構造を有するコンテンツを、一又は複数個記憶するデータベース等のデータファイルである。
【００６４】
コンテンツ配信サーバ３０は、コンテンツ管理ＤＢ３１に記憶されたコンテンツを、ＭＦＰ１（操作部２０）に配信する。ここで、コンテンツの配信形態は特に問わないものとする。例えば、操作部２０の取得部２１２からの要求に応じてコンテンツを配信するプル型としてもよいし、コンテンツ配信サーバ３０からＭＦＰ１（操作部２０）に自動的に配信するプッシュ型としてもよい。
【００６５】
また、視聴管理ＤＢ３２は、ＭＦＰ１（操作部２０）から送信される視聴情報を管理するデータベース等のデータファイルである。
【００６６】
図９は、視聴管理ＤＢ３２のデータ構成の一例を示す図である。図９に示すように、視聴管理ＤＢ３２は、コンテンツＩＤと、合計視聴回数と、視聴カウントと、追加動作利用カウントとをデータ項目として有する。ここで、コンテンツＩＤは、ＭＦＰ１の各々で視聴（表示）されたコンテンツのコンテンツＩＤであり、コンテンツ管理ＤＢ３１のコンテンツＩＤに対応する。また、合計視聴回数には、視聴情報を受け付けた回数が登録される。視聴カウントは、ＭＦＰＩＤ毎に設けられており、対応するＭＦＰ１から視聴情報を受け付けた回数が登録される。また、追加動作利用カウントは、ＭＦＰＩＤ毎に設けられており、コンテンツ（コンテンツＩＤ）に対して付与された追加動作の実行回数が登録される。
【００６７】
コンテンツ配信サーバ３０は、ＭＦＰ１から視聴情報を受け付けると、この視聴情報に含まれたコンテンツＩＤの合計視聴回数を１インクリメントする。また、コンテンツ配信サーバ３０は、そのコンテンツＩＤに対応付けられた視聴カウントのうち、視聴情報に含まれたＭＦＰＩＤのカウント数を１インクリメントする。また、コンテンツ配信サーバ３０は、ＭＦＰ１から利用情報を受け付けると、この利用情報に含まれたコンテンツＩＤに対応付けられた追加動作利用カウントのうち、利用情報に含まれたＭＦＰＩＤのカウント数を１インクリメントする。
【００６８】
このように、コンテンツ配信サーバ３０では、ＭＦＰ１の各々から送信された視聴情報、つまりコンテンツの視聴状況を収集し、ＭＦＰ１毎に記憶・管理する。また、コンテンツ配信サーバ３０は、ＭＦＰ１の各々から送信された利用情報、つまり追加動作の実施状況を収集し、ＭＦＰ１毎に記憶・管理する。これにより、ＭＦＰ１全体やＭＦＰ１の各々において、各コンテンツがどの程度視聴されたのか、追加動作がどの程度利用されたのかを容易に把握することができるため、広告効果等を明確化することができる。
【００６９】
次に、ＭＦＰ１の動作について説明する。まず、図１０を参照して、ＭＦＰ１の操作部２０が実行する初期化処理について説明する。ここで、図１０は、ＭＦＰ１の操作部２０が実行する初期化処理の一例を示すフローチャートである。なお、本処理の前提として、初期設定情報２４２が予め設定されているものとする。
【００７０】
操作部２０の初期設定部２１１は、自装置の起動時等において、フラッシュメモリ２４に記憶された初期設定情報２４２を参照し、本処理を開始する。まず、初期設定部２１１は、コンテンツの表示が指示されているか否かを判定する（ステップＳ１１）。ここで、非表示が指示されている場合には（ステップＳ１１；Ｎｏ）、初期設定部２１１、コンテンツを表示しない設定とし（ステップＳ１２）、本処理を終了する。
【００７１】
また、コンテンツの表示が指示されている場合（ステップＳ１１；Ｙｅｓ）、初期設定部２１１は、コンテンツを表示する設定とする（ステップＳ１３）。続いて、初期設定部２１１は、追加動作の付与が指示されているか否かを判定する（ステップＳ１４）。ここで、非付与が指示されている場合には（ステップＳ１４；Ｎｏ）、初期設定部２１１は、追加動作を付与しない設定とし（ステップＳ１５）、本処理を終了する。また、追加動作の付与が指示されている場合には（ステップＳ１４；Ｙｅｓ）、初期設定部２１１は、追加動作を付与する設定とし（ステップＳ１６）、ステップＳ１７に移行する。
【００７２】
続くステップＳ１７において、初期設定部２１１は、動作内容を自動で決定することが指示されているか否かを判定する（ステップＳ１７）。ここで、手動で決定することが指示されている場合には（ステップＳ１７；Ｎｏ）、初期設定部２１１は、動作内容を手動で決定する設定とし（ステップＳ１８）、本処理を終了する。また、自動で決定することが指示されている場合には（ステップＳ１７；Ｙｅｓ）、初期設定部２１１は、動作内容を自動で決定する設定とし（ステップＳ１９）、本処理を終了する。
【００７３】
本処理で設定された設定内容は、ＲＡＭ２３等に保持され、後述するコンテンツ表示処理に反映される。なお、上記の初期化処理では、初期設定情報２４２の指示内容に基づいて各種設定を行う形態としたが、これに限らず、操作パネル２７を介して直接指示を受け付ける形態としてもよい。
【００７４】
次に、図１１を参照して、ＭＦＰ１の操作部２０が実行するコンテンツ表示処理について説明する。ここで、図１１は、ＭＦＰ１の操作部２０が実行するコンテンツ表示処理の一例を示すフローチャートである。なお、本処理の前提として、上述した初期化処理が実行済であるとする。また、取得部２１２により、コンテンツ配信サーバ３０から配信されるコンテンツが取得済であるとする。
【００７５】
まず、検出部２１３は、本体１０のジョブ種別を検出するまで待機する（ステップＳ２１；Ｎｏ）。検出部２１３によりジョブ種別が検出されると（ステップＳ２１；Ｙｅｓ）、第１選択部２１４は、コンテンツの表示が設定されているか否かを判定する（ステップＳ２２）。ここで、表示不可が設定されている場合には（ステップＳ２２；Ｎｏ）、本処理を終了する。
【００７６】
また、ステップＳ２２において、表示可が設定されている場合（ステップＳ２２；Ｙｅｓ）、第１選択部２１４は、ステップＳ２１で検出されたジョブ種別に対応するコンテンツを選択する（ステップＳ２３）。続いて、表示部２１６は、ステップＳ２３で選択されたコンテンツを操作パネル２７に表示する（ステップＳ２４）。なお、ジョブ種別に対応するコンテンツが複数存在する場合には、予め定められた各コンテンツの優先度や、取得した日時（配信日時）等に基づき一のコンテンツを選択する構成としてもよいし、一のコンテンツをランダムに選択する構成としてもよい。
【００７７】
次いで、第２選択部２１５は、追加動作を付与することが設定されているか否かを判定する（ステップＳ２５）。ここで、非付与が設定されている場合には（ステップＳ２５；Ｎｏ）、本処理を終了する。
【００７８】
また、追加動作の付与が設定されている場合（ステップＳ２５；Ｙｅｓ）、第２選択部２１５は、ステップＳ２１で検出されたジョブ種別に対応するアプリ種別のエントリを、対応情報２４１から抽出する（ステップＳ２６）。また、第２選択部２１５は、ステップＳ２６で抽出した追加動作のうちその第１レベルが、ステップＳ２３で選択されたコンテンツに含まれる第２レベルと同じ（或いは第２レベル以下）の追加動作を、付与可能な追加動作として選択する（ステップＳ２７）。
【００７９】
続いて、表示部２１６は、ステップＳ２７で選択された追加動作が一つか否かを判定する（ステップＳ２８）。選択された追加動作が一つの場合（ステップＳ２８；Ｙｅｓ）、表示部２１６は、その追加動作に対応する表示用データを操作パネル２７に表示し（ステップＳ３２）、ステップＳ３３に移行する。
【００８０】
また、ステップＳ２７で選択された追加動作が複数の場合（ステップＳ２８；Ｎｏ）、表示部２１６は、動作内容の自動決定が設定されているか否かを判定する（ステップＳ２９）。ここで、手動決定が設定されている場合（ステップＳ２９；Ｎｏ）、表示部２１６は、ステップＳ２７で選択された追加動作の中から、何れか一つを選択可能な選択画面（図示せず）を第２領域Ａ１２に表示する（ステップＳ３０）。そして、何れか一の追加動作が選択されると、その選択された追加動作に対応する表示用データを操作パネル２７に表示し（ステップＳ３２）、ステップＳ３３に移行する。
【００８１】
また、ステップＳ２９において、動作内容の自動決定が設定されている場合（ステップＳ２９；Ｙｅｓ）、表示部２１６は、ステップＳ２７で選択された追加動作の中から、何れか一つを選択する（ステップＳ３１）。次いで、表示部２１６は、ステップＳ３１で選択した追加動作に対応する表示用データを操作パネル２７に表示する（ステップＳ３２）。そして、表示部２１６は、ステップＳ３２で表示したコンテンツに係る視聴情報をコンテンツ配信サーバ３０に送信（通知）し（ステップＳ３３）、本処理を終了する。
【００８２】
一方、コンテンツ配信サーバ３０では、ＭＦＰ１から視聴情報を受け付けると、この視聴情報で指示されたコンテンツＩＤの合計視聴回数を１インクリメントする。また、コンテンツ配信サーバ３０は、視聴情報で指示されたＭＦＰＩＤの視聴カウントを１インクリメントすることで、視聴管理ＤＢ３２を更新する。これにより、視聴管理ＤＢ３２を参照することで、ＭＦＰ１の各々におけるコンテンツの視聴状況を容易に把握することができる。
【００８３】
なお、ステップＳ３１での選択方法は特に問わないものとする。例えば、予め設定された各追加動作の優先度に基づき選択してもよいし、ランダムに選択する構成としてもよい。また、第１領域Ａ１１及び第２領域Ａ１２の表示は、本体１０で実行されたジョブの終了に伴い、消去されるものとする。
【００８４】
次に、図１２を参照して、ＭＦＰ１の操作部２０が実行する視聴通知処理について説明する。ここで、図１２は、ＭＦＰ１の操作部２０が実行する視聴通知処理の一例を示すフローチャートである。なお、本処理の前提として、上述したコンテンツ表示処理において、追加動作の表示用データが操作パネル２７（第２領域Ａ１２）に表示されているものとする。
【００８５】
まず、受付部２１７は、操作パネル２７の第２領域Ａ１２において、追加動作の実行を指示する操作子が操作されるまで待機する（ステップＳ４１；Ｎｏ）。ここで、受付部２１７が操作子の操作を受け付けると（ステップＳ４１；Ｙｅｓ）、通知部２１８は、利用情報をコンテンツ配信サーバ３０に送信（通知）する（ステップＳ４２）。
【００８６】
また、実行指示部２１９は、ステップＳ４１で受け付けた操作子に対応する追加動作の実行を本体１０に指示することで、追加動作を動作させ（ステップＳ４３）、本処理を終了する。
【００８７】
一方、コンテンツ配信サーバ３０では、ＭＦＰ１から利用情報を受け付けると、視聴情報で指示されたコンテンツＩＤ及びＭＦＰＩＤの追加動作利用カウントを１インクリメントすることで、視聴管理ＤＢ３２を更新する。これにより、視聴管理ＤＢ３２を参照することで、ＭＦＰ１の各々における追加動作の利用状況を容易に把握することができる。
【００８８】
以上に説明したように、本実施形態のＭＦＰ１（操作部２０）では、ユーザから要求されたジョブのジョブ種別を検出し、このジョブ種別に対応する表示用データを広告等のコンテンツとともに表示する。また、本実施形態のＭＦＰ１（操作部２０）は、表示された表示用データに対する操作を受け付け、その表示用データに対応する追加動作を本体１０に実行させる。これにより、ユーザ操作が行われた時にコンテンツを表示することができるため、コンテンツの表示を効率的に行うことができる。また、ＭＦＰ１に対するユーザ操作や、ＭＦＰ１の動作（ジョブ）に対応したサービスを、当該ジョブの追加動作として提供することができるため、ユーザの利便性を向上させることができる。また、追加動作の実行を指示するための表示用データを広告等のコンテンツとともに表示することで、当該コンテンツの視聴機会を増加させることができるため、コンテンツの視聴を促すことができる。
【００８９】
また、本実施形態のＭＦＰ１（操作部２０）は、コンテンツを表示した場合や、当該コンテンツに対応する追加動作（表示用データ）の実行指示を受け付けた場合に、その旨を示す視聴情報や利用情報をコンテンツ配信サーバ３０に送信（通知）する。これにより、コンテンツを表示したことや追加動作を利用したことを通知することができるため、コンテンツの視聴状況や追加動作の利用状況を把握することができる。そのため、例えば、コンテンツを広告とした場合、その広告の効果を把握することができる。
【００９０】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００９１】
（変形例）
以下、変形例を記載する。以下の変形例同士は任意に組み合わせることもできる。また、以下の変形例は、上述の実施形態と任意に組み合わせることもできる。
【００９２】
（１）変形例１
例えば、ＭＦＰ１の使用を開始する際に、ユーザを識別するための認証処理を行う形態としてもよい。この形態の場合、ＭＦＰ１を操作するユーザを識別することができるため、例えば、対応情報２４１や初期設定情報２４２の設定を変更することが可能なユーザを制限することができる。また、会員登録等を行ったユーザに対してのみ、追加動作を付与するよう制限することができる。
【００９３】
なお、ユーザ認証に係る構成は特に問わず、公知・公用の技術を用いることが可能である。例えば、各ユーザのユーザＩＤ等を照合情報として格納した認証サーバをネットワークＮに接続し、この照合情報と、操作パネル２７やカード認証機を介して入力されたユーザＩＤとを照合することで、ユーザを認証する形態としてもよい。また、対応情報２４１や初期設定情報２４２の設定を変更することが可能なユーザ（例えば店員）のユーザＩＤ等を照合情報として操作部２０のフラッシュメモリ２４等に格納し、当該照合情報と照合する形態としてもよい。
【００９４】
（２）変形例２
上記実施形態では、追加動作として、実行対象となったジョブ種別に係る追加機能を提供したが、提供可能な追加動作はこれに限らないものとする。例えば、図１３に示すように、値引等のサービスを提供するためのクーポンを印刷する動作を追加動作として提供してもよい。なお、図１３では、コピー処理に対する追加動作として、クーポンの印刷処理を提示した例を示している。なお、第２領域Ａ１２には、図７（ｂ）や図８（ｂ）と同様に、追加動作の実行を指示する操作子として操作ボタンＢ１１が設けられる。
【００９５】
（３）変形例３
上記の実施形態では、本体１０と操作部２０は、別々のオペレーティングシステムで互いに独立して動作しているが、これに限らず、例えば本体１０と操作部２０が同じオペレーティングシステムで動作する形態であってもよい。
【００９６】
（４）変形例４
上記の実施形態では、操作部２０は、コンテンツ配信サーバ３０からコンテンツを取得し、フラッシュメモリ２４等に記憶する形態としたが、これに限らないものとする。例えば、フラッシュメモリ２４等の記憶媒体に、コンテンツ（或いはコンテンツ管理ＤＢ３１）を予め記憶しておく形態としてもよい。
【００９７】
（５）変形例５
上記の実施形態では、操作部２０は、視聴情報をコンテンツ配信サーバ３０に送信する形態としたが、これに限らず、コンテンツ配信サーバ３０以外の他の装置に送信する形態としてもよい。また、操作部２０のフラッシュメモリ２４等の記憶媒体に、視聴情報（或いは視聴管理ＤＢ３２）を記憶する形態としてもよい。
【００９８】
（プログラム）
上記した実施形態のＭＦＰ１で実行されるプログラムは、インストール可能な形式または実行可能な形式のファイルで、コンピュータで読み取り可能な記録媒体に記録して提供するように構成してもよい。ここで、記録媒体としては、例えば、ＣＤ−ＲＯＭ、フレキシブルディスク（ＦＤ）、ＣＤ−Ｒ、ＤＶＤ（Digital  Versatile  Disk）、ＵＳＢ（Universal  Serial  Bus）メモリ等が挙げられる。また、上記した実施形態のＭＦＰ１で実行されるプログラムを、インターネット等のネットワーク経由で提供または配布するように構成してもよい。また、上記した実施形態のＭＦＰ１で実行されるプログラムを、ＲＯＭ等に予め組み込んで提供するように構成してもよい。
【符号の説明】
【００９９】
１      ＭＦＰ
１０    本体
２０    操作部
２１１  初期設定部
２１２  取得部
２１３  検出部
２１４  第１選択部
２１５  第２選択部
２１６  表示部
２１７  受付部
２１８  通知部
２１９  実行指示部
２４１  対応情報
２４２  初期設定情報
３０    コンテンツ配信サーバ
【先行技術文献】
【特許文献】
【０１００】
【特許文献１】特開２０１３−３３３９３号公報
【図１】
2015176507.tif 000003
【図２】
2015176507.tif 000004
【図３】
2015176507.tif 000005
【図４】
2015176507.tif 000006
【図５】
2015176507.tif 000007
【図６】
2015176507.tif 000008
【図７】
2015176507.tif 000009
【図８】
2015176507.tif 000010
【図９】
2015176507.tif 000011
【図１０】
2015176507.tif 000012
【図１１】
2015176507.tif 000013
【図１２】
2015176507.tif 000014
【図１３】
2015176507.tif 000015